(57)【要約】【課題】天板１の上方に突出するバーナ３と、天板上に配置される五徳４とを備えるガスコンロにおいて、五徳をバーナに対し直接的に位置決めできるようにする。【解決手段】五徳４は、バーナ２の上方に位置する中央結合部４１と、中央結合部４１から径方向外方にのびる複数の五徳爪４２とを備えるものに構成される。五徳４の中央結合部４１に上下方向に貫通する位置決め孔４５が形成されると共に、バーナ３の上面に位置決め孔４５に嵌合する突起２８が設けられる。突起２８及び位置決め孔４５の横断面形状は、各五徳爪４２がバーナ３の無炎孔部２７と同一方位に位置する正規位相に五徳４が存するときにのみ位置決め孔４５に突起２８が嵌合可能となるような形状にする。また、バーナ上面に、五徳の中央結合部及び五徳爪の中央結合部寄りの部分を受け入れる凹溝を形成しても良い。【選択図】図１
2008151493.tif 000002
【特許請求の範囲】
【請求項１】
天板の上方に突出するバーナと、天板上に配置される五徳とを備えるガスコンロにおいて、
五徳は、バーナの上方に位置する中央結合部と、中央結合部から径方向外方にのびる複数の五徳爪とを備えるものに構成され、
五徳の中央結合部に下方に開口する位置決め孔が形成されると共に、バーナの上面に位置決め孔に嵌合する突起が設けられていることを特徴とするガスコンロ。
【請求項２】
前記位置決め孔は前記中央結合部を上下方向に貫通する貫通孔であることを特徴とする請求項１記載のガスコンロ。
【請求項３】
前記突起及び前記位置決め孔の横断面形状は、前記各五徳爪が前記バーナの周方向の各所定方位に位置する正規位相に前記五徳が存するときにのみ位置決め孔に突起が嵌合可能となるような形状になっていることを特徴とする請求項１又は２記載のガスコンロ。
【請求項４】
天板の上方に突出するバーナと、天板上に配置される五徳とを備えるガスコンロにおいて、
五徳は、バーナの上方に位置する中央結合部と、中央結合部から径方向外方にのびる複数の五徳爪とを備えるものに構成され、
バーナの上面に、五徳の中央結合部及び五徳爪の中央結合部寄りの部分を受け入れる凹溝が形成されていることを特徴とするガスコンロ。
【請求項５】
前記五徳は、前記複数の五徳爪に交差して周方向に延在する円環部を備え、円環部より径方向内方に位置するこれら五徳爪の部分の上縁及び前記中央結合部の上面が円環部の上面に対し下方に凹入した形状に形成されていることを特徴とする請求項１〜４の何れか１項記載のガスコンロ。
【請求項６】
前記円環部の径は、炎孔が開口する前記バーナの外周面の径以下に設定されることを特徴とする請求項５記載のガスコンロ。
【発明の詳細な説明】
【技術分野】
【０００１】
本発明は、天板の上方に突出するバーナと、天板上に配置される五徳とを備えるガスコンロに関する。
【背景技術】
【０００２】
従来、ガスコンロでは、一般的に、環状の五徳枠に複数の五徳爪を取付けた五徳を用いている。そして、天板又は天板に固定の部材に五徳爪の脚部に形成した係合部を受け入れる凹部を形成し、凹部に係合部を係合させることで五徳を位置決めできるようにしている（例えば、特許文献１参照）。
【０００３】
ここで、五徳はバーナに対し所定の位置関係で設置されることが望まれる。上記従来例のものでは、五徳が天板を介してバーナに対し位置決めされることになる。そのため、天板の設置位置のずれ等でバーナに対し天板が位置ずれすると、五徳もバーナに対し位置ずれすることになる。
【特許文献１】特開２００３−２６９７３１号公報
【発明の開示】
【発明が解決しようとする課題】
【０００４】
本発明は、以上の点に鑑み、五徳をバーナに対し直接的に位置決めできるようにしたガスコンロを提供することをその課題としている。
【課題を解決するための手段】
【０００５】
本発明は、天板の上方に突出するバーナと、天板上に配置される五徳とを備えるガスコンロにおいて、上記課題を解決するために以下の事項を採用したことを特徴とする。
【０００６】
即ち、第１発明は、五徳が、バーナの上方に位置する中央結合部と、中央結合部から径方向外方にのびる複数の五徳爪とを備えるものに構成され、五徳の中央結合部に下方に開口する位置決め孔が形成されると共に、バーナの上面に位置決め孔に嵌合する突起が設けられていることを特徴とする。
【０００７】
また、第２発明は、五徳は、バーナの上方に位置する中央結合部と、中央結合部から径方向外方にのびる複数の五徳爪とを備えるものに構成され、バーナの上面に、五徳の中央結合部及び五徳爪の中央結合部寄りの部分を受け入れる凹溝が形成されていることを特徴とする。
【０００８】
第１発明によれば、五徳をその中央結合部の位置決め孔にバーナ上面の突起が嵌合するようにセットすることで、五徳がバーナに対し直接的に位置決めされる。従って、天板の設置位置のずれ等でバーナに対し天板が位置ずれしても、五徳はバーナに対し位置ずれしない。
【０００９】
また、第１発明において、位置決め孔は中央結合部を上下方向に貫通する貫通孔であることが望ましい。ここで、中央結合部にその上面に達しない袋孔状の位置決め孔を形成することも可能である。然し、これでは、位置決め孔が中央結合部の下に隠れて目視できなくなる。そのため、位置決め孔に突起が嵌合していなくてもこれに気付かずに五徳が誤セット状態に放置されてしまうことがある。これに対し、位置決め孔が貫通孔であれば、位置決め孔への突起の嵌合を目視確認できる。そのため、五徳が誤セット状態に放置されることを防止できる。
【００１０】
ところで、バーナの外周面の炎孔に形成される火炎が五徳爪に触れると燃焼不良を生ずる。そのため、バーナの外周面に五徳爪の周方向配置ピッチと同等の周方向間隔で無炎孔部や小炎孔部を形成し、火炎が五徳爪に触れることを防止する必要がある。然し、五徳爪が無炎孔部や小炎孔部と同一の方位に位置する位相で五徳をセットしないと、火炎が五徳爪に触れてしまう。
【００１１】
そのため、第１発明において、突起及び位置決め孔の横断面形状は、各五徳爪がバーナの周方向の各所定方位に位置する正規位相に五徳が存するときにのみ位置決め孔に突起が嵌合可能となるような形状になっていることが望ましい。これによれば、上記所定方位を無炎孔部や小炎孔部の方位に合わせることにより、火炎が五徳爪に触れない正規位相で五徳をセットすることができる。
【００１２】
また、第２発明によれば、バーナ上面の凹溝に五徳の中央結合部及び五徳爪の中央結合部寄りの部分を係合させることで、五徳をバーナに対し直接的に位置決めでき、且つ、五徳を上記正規位相でセットできる。また、凹溝への中央結合部及び五徳爪の係合を目視確認できるため、五徳が誤セット状態に放置されることも防止できる。
【００１３】
また、第１発明と第２発明との何れにおいても、五徳は、複数の五徳爪に交差して周方向に延在する円環部を備え、円環部より径方向内方に位置するこれら五徳爪の部分の上縁及び前記中央結合部の上面が円環部の上面より下方に凹入した形状に形成されていることが望ましい。これによれば、五徳に中華鍋を載置した場合、中華鍋の底部が円環部に嵌まり、円環部によりその全周に亘って中華鍋が受けられる。従って、中華鍋も五徳上に安定して支持できる。
【００１４】
また、この場合、円環部の径は、炎孔が開口するバーナの外周面の径以下に設定されることが望ましい。これによれば、炎孔に形成される火炎が円環部に触れて燃焼不良を生ずることを防止できる。
【発明を実施するための最良の形態】
【００１５】
図１を参照して、１はガスコンロの天板、２はバーナを示している。バーナ２は、図２に示す如く、天板１で覆われるコンロ本体３内に設置される混合管２１と、天板１の上方に突出するバーナボディ２２と、バーナボディ２２上に載置されるバーナヘッド２３とで構成されている。
【００１６】
混合管２１はコンロ本体３の底部上に設けた台枠３ａ上に載置固定される。コンロ本体３内には混合管２１の上流端に臨む図示省略したガスノズルが設けられている。このガスノズルから噴出する燃料ガスと混合管２１の上流端から吸入される一次空気との混合ガス（混合気）が混合管２１内で生成される。混合管２１の下流端部は上向きに屈曲して、天板１に開設した透孔１ａに嵌合している。混合管２１の下流端部には、バーナボディ２２に垂設した筒部２４が上方から嵌合される。尚、混合管２１の下流端部の外周には天板１の下面に接するフランジ部２５が形成されている。そして、混合管２１がフランジ部２５において天板１にねじ止めされる。
【００１７】
バーナヘッド２３の下面外周部には多数の歯形が垂設されており、これら歯形間の隙間で炎孔２６が形成される。混合管２１からの混合気はバーナボディ２２を介して炎孔２６から噴出する。そして、噴出した混合気の燃焼で生成される火炎により天板１上の五徳４に載置する被加熱物が加熱される。
【００１８】
五徳４は、バーナ２の上方に位置する中央結合部４１と、この中央結合部４１から径方向外方にのびる複数（本実施形態では４個）の五徳爪４２とを有する。各五徳爪４２の外端部には下方にのびる脚部４３が形成されている。そして、脚部４３の下端に小突起４４を設け、五徳４を小突起４４において天板１の上面に着座させている。
【００１９】
ところで、バーナ２の火炎が五徳爪４２に触れると燃焼不良を生ずる。そこで、バーナヘッド２３の周面に、五徳爪４２の周方向配置ピッチと同等の周方向間隔を存して無炎孔部（炎孔２６の無い部分）２７を設けている。そのため、各五徳爪４２がバーナ２の周方向の各無炎孔部２７と同一の方位に位置する正規位相で五徳４をセットすれば、各五徳爪４２に火炎が触れることを防止できる。
【００２０】
そこで、本実施形態では、五徳４をバーナ３に対し同心且つ正規位相に位置決めできるように、五徳４の中央結合部４１に下方に開口する位置決め孔４５を形成している。尚、位置決め孔４５を中央結合部４１の上面に達しない袋孔状に形成することも可能であるが、本実施形態では、位置決め孔４５が中央結合部４１を上下方向に貫通する貫通孔になっている。また、バーナ上面、即ち、バーナヘッド２３の上面には、位置決め孔４５に嵌合する突起２８が設けられている。位置決め孔４５及び突起２８の横断面形状は、五徳爪４２の数に等しい正多角形である正方形に形成されている。そして、この正方形の位相は、五徳４が正規位相に存するときにのみ位置決め孔４５に突起２８が嵌合可能になるように設定されている。
【００２１】
かくして、五徳４をその中央結合部４１の位置決め孔４５にバーナ上面の突起２８が嵌合するようにセットすれば、五徳４がバーナ２と同心且つ正規位相になるようにバーナ２に対し直接的に位置決めされる。また、本実施形態では、位置決め孔４５が貫通孔になっているため、位置決め孔４５への突起２８の嵌合を目視確認できる。そのため、位置決め孔４５に突起２８が嵌合していないことに気付かずに、五徳４が誤セット状態で放置されることを防止できる。
【００２２】
尚、位置決め孔４５及び突起２８の横断面形状が正方形であるため、五徳４は互いに９０°異なる４つの位相の何れでもセットできる。そして、何れの位相においても、４個の五徳爪４２は夫々無炎孔部２７と同一の方位に位置する。因みに、位置決め孔４５及び突起２８の横断面形状は、五徳爪４２の数が５個である場合には正五角形とし、６個である場合には正三角形又は正六角形とすれば良い。また、位置決め孔４５及び突起２８の横断面形状を例えばＤ形とし、五徳４を所定の１つの位相でのみセット可能になるようにすることも可能である。
【００２３】
図３は第２の実施形態を示しており、上記第１実施形態と同様の部材、部位に上記と同一の符号を付している。第２実施形態では、バーナ上面、即ち、バーナヘッド２３の上面に五徳４に対応する凹溝２９を形成している。
【００２４】
凹溝２９は、五徳４の中央結合部４１を受け入れる中央溝部２９ａと、中央溝部２９ａから径方向外方に放射状にのびる、各五徳爪４２の中央結合部４１寄りの部分を受け入れる複数の放射状溝部２９ｂとで構成される。そして、各放射状溝部２９ｂは各無炎孔部２７と同一の方位に位置している。
【００２５】
五徳４は、中央結合部４１と各五徳爪４２の中央結合部４１寄りの部分とが夫々中央溝部２９ａと各放射状溝部２９ｂとに係合するようにセットされる。これにより、五徳４がバーナ２と同心且つ正規位相（各五徳爪４２が各無炎孔部２７と同一の方位に位置する位相）になるようにバーナ２に対し直接的に位置決めされる。また、凹溝２９への中央結合部４１及び五徳爪４２の係合を目視確認できるため、五徳４が誤セット状態で放置されることも防止できる。
【００２６】
図４、図５は上記第１実施形態に近似した第３の実施形態を示しており、第１実施形態と同様の部材、部位に上記と同一の符号を付している。第３実施形態は、五徳４上に中華鍋Ｐを安定して支持できるように、五徳４に、複数の五徳爪４２に交差して周方向に延在する円環部４６を設けている。また、円環部４６より径方向内方に位置するこれら五徳爪４２の部分の上縁及び中央結合部４１の上面が円環部４６の上面に対し下方に円弧状に凹入した形状に形成されている。尚、この円弧の曲率半径は一般に市販されている最小の中華鍋Ｐの曲率半径に合わせて例えば２２０ｍｍに設定される。
【００２７】
ここで、第１実施形態においても、複数の五徳爪４２の中央結合部４１寄りの部分の上縁が、中華鍋を載置できるように、下方に円弧状に凹入した形状に形成されている。然し、五徳爪４２の個数が４個と少ない場合には、中華鍋を必ずしも安定に支持できない。これに対し、第３実施形態によれば、中華鍋Ｐの底部が円環部４６に嵌まるため、円環部４６によりその全周に亘って中華鍋Ｐが受けられる。従って、中華鍋Ｐも五徳４上に安定して支持される。
【００２８】
尚、中華鍋Ｐの支持の安定性だけを考慮するなら、円環部４６より径方向内方に位置する五徳爪４２の部分及び中央結合部４１を切除することも考えられる。然し、これでは、五徳４をバーナ２と同心且つ正規位相になるようにバーナ２に対し直接的に位置決めできなくなる。これに対し、第３実施形態では、第１実施形態と同様に中央結合部４１に形成した位置決め孔４５にバーナ上面の突起２８を嵌合させているため、五徳４をバーナ２と同心且つ正規位相になるようにバーナ２に対し直接的に位置決めできる。尚、五徳４に円環部４６を設ける場合、上記第２実施形態の如く、バーナ上面に凹溝を形成して、この凹溝に五徳４の中央結合部４１及び五徳爪４２の中央結合部４１寄りの部分を係合させるようにしても良い。
【００２９】
また、第３実施形態において、円環部４６の径Ｄ１は、炎孔２６が開口する２バーナの外周面の径Ｄ２以下に設定されている。そのため、炎孔２６に形成される火炎が円環部４６に触れることはない。
【００３０】
尚、第３実施形態において、五徳４は、円環部４６を含めて一体成形された鋳造品で構成されるが、別体の円環部４６を五徳爪４２に溶接等で結合することも可能である。
【００３１】
以上、本発明の実施形態について図面を参照して説明したが、本発明はこれに限定されない。例えば、上記実施形態では、バーナ２の周面に五徳爪４２の配置ピッチと同等の周方向間隔を存して無炎孔部２７を設けたが、無炎孔部２７に代えて小さな炎孔を形成した小炎孔部を設けても良い。
【図面の簡単な説明】
【００３２】
【図１】本発明ガスコンロの第１実施形態の要部の斜視図。
【図２】図１のＩＩ−ＩＩ線で切断した断面図。
【図３】第２実施形態の要部の斜視図。
【図４】第３実施形態の断面図。
【図５】第３実施形態の平面図。
【符号の説明】
【００３３】
１…天板、２…バーナ、２６…炎孔、２８…突起、２９…凹溝、４…五徳、４１…中央結合部、４２…五徳爪、４５…位置決め孔、４６…円環部。
【図１】
2008151493.tif 000003
【図２】
2008151493.tif 000004
【図３】
2008151493.tif 000005
【図４】
2008151493.tif 000006
【図５】
2008151493.tif 000007